(57)【要約】  本発明は歯科技工用ワックスディスペンサー及びこれを用いた歯科技工用ワックスディスペンサーシステムに関する。本発明によるワックスディスペンサーは、内部空間に液状のワックスが収容される中空管形状のワックス貯留部と；前記ワックス貯留部の前端に配置され、前記ワックス貯留部と連通するノズル部と；前記ワックス貯留部に貯留されたワックスが液状を維持するように加熱するヒータ部と；外部から流入される空気により前記ワックス貯留部の内部空間を加圧する加圧モードと、外部への空気の流出によって前記ワックス貯留部の内部空間を減圧する減圧モードとで動作する空気圧提供部と；前記ワックス貯留部と前記ノズル部とを連通するワックス移動通路と、前記加圧モードで前記ワックス貯留部に貯留されたワックスが前記ノズル部を通して外部に吐出され、減圧モードで外部のワックスが前記ノズル部を通して前記ワックス貯留部に流入するように前記ワックス移動通路を開閉する通路開閉部を有するディスペンサー動作部と；を含むことを特徴とする。これにより、ヒータを内蔵したペンタイプのワックスディスペンサーにワックスを充填して使用し、エアポンプ部から吐出される空気の空気圧に応じてワックスが吐出され、吐出されるワックスがディスペンサー動作部の操作に応じて精密に調節されることにより、ユーザの利便性と作業効率を改善することができる。
2015509007.tif 000002
【特許請求の範囲】
【請求項１】
内部空間に液状のワックスが収容される中空管形状のワックス貯留部と；
前記ワックス貯留部の前端に配置され、前記ワックス貯留部と連通するノズル部と；
前記ワックス貯留部に貯留されたワックスが液状を維持するように加熱するヒータ部と；
外部から流入される空気により前記ワックス貯留部の内部空間を加圧する加圧モードと、外部への空気の流出によって前記ワックス貯留部の内部空間を減圧する減圧モードとで動作する空気圧提供部と；
前記ワックス貯留部と前記ノズル部を連通するワックス移動通路と、前記加圧モードで前記ワックス貯留部に貯留されたワックスが前記ノズル部を通して外部に吐出され、減圧モードで外部のワックスが前記ノズル部を通して前記ワックス貯留部に流入するように前記ワックス移動通路を開閉する通路開閉部とを有するディスペンサー動作部と；を含むことを特徴とする歯科技工用ワックスディスペンサー。
【請求項２】
前記空気圧提供部は，
外部からの空気が流入したり、外部に空気が排出される外部連結管と；
前記ワックス貯留部の後端に配置され、前記ワックス貯留部と連通する内部連結管と；
前記外部連結管と前記内部連結管とを連通する空気連結通路と；を含むことを特徴とする請求項１に記載の歯科技工用ワックスディスペンサー。
【請求項３】
前記内部連結管の後端が外部と開放されたり、外部から閉鎖されるよう、前記内部連結管の後端を開閉する後端キャップユニットをさらに含み；
前記空気連結通路は前記後端キャップユニットの内部に形成され、前記後端キャップユニットが前記内部連結管を閉鎖するとき、前記外部連結管と前記内部連結管とを連通させることを特徴とする請求項２に記載の歯科技工用ワックスディスペンサー。
【請求項４】
前記空気圧提供部は、前記外部連結管と前記空気連結通路との間の連通を断続する空気圧断続弁をさらに含むことを特徴とする請求項３に記載の歯科技工用ワックスディスペンサー。
【請求項５】
前記空気圧断続弁は、
前記空気連結通路と連通する第１連通孔と、前記外部連結管と連通する第２連通孔とを有するバルブ管と；
前記バルブ管の内部に収容される開閉ボールと；
前記開閉ボールを前記第１連通孔を閉鎖する方向に加圧する弾性部材と；を含み；
前記開閉ボールは、
前記後端キャップユニットが前記内部連結管の後端を開放した状態で前記弾性部材の弾性力により前記第１連通孔を閉鎖し、
前記後端キャップユニットが前記内部連結管の後端を閉鎖した状態で前記内部連結管によって、前記弾性部材の弾性力の反対方向に加圧されて、前記第１連通孔の少なくとも一部の領域を開放して前記第１連通孔と前記空気連結通とを連通させることを特徴とする請求項４に記載の歯科技工用ワックスディスペンサー。
【請求項６】
前記ヒータ部は、
前記ワックス貯留部の内部空間と前記ワックス移動通路に沿って配置される発熱部材と；
前記発熱部材が発熱するように前記発熱部材に電源を供給する発熱スリーブと；を含むことを特徴とする請求項１に記載の歯科技工用ワックスディスペンサー。
【請求項７】
前記発熱部材は前記ノズル部の内部まで延出されることを特徴とする請求項６に記載の歯科技工用ワックスディスペンサー。
【請求項８】
前記発熱部材の前記ワックス貯留部の内部空間に位置する部分はコイルばね形状を有することを特徴とする請求項６に記載の歯科技工用ワックスディスペンサー。
【請求項９】
前記通路開閉部は、
前記ワックス移動通路の少なくとも一部の区間を形成し、内周面の少なくとも一領域に前記ワックス移動通路を通過する前記発熱部材の外周面と接触して前記ワックス移動通路を閉鎖する弾性接触部が形成された弾性管と；
前記弾性接触部が前記発熱部材から離間され、前記ワックス移動通路が開放されるよう外部からの操作に応じて前記弾性管を加圧し変形させるサイドボタンと；を含むことを特徴とする請求項６に記載の歯科技工用ワックスディスペンサー。
【請求項１０】
第１項ないし第９項の中のいずれか一項による歯科技工用ワックスディスペンサーと；
一側が前記歯科技工用ワックスディスペンサーの前記空気圧提供部と接続されるエアケーブルと；
前記エアケーブルの他端に接続され、前記空気圧提供部が前記加圧モードまたは前記減圧モードで動作するように、前記空気圧提供部に空気を吐出したり、前記空気圧提供部から空気を吸入するエアポンプ部と；を含むことを特徴とする歯科技工用ワックスディスペンサーシステム。
【請求項１１】
前記エアポンプ部は、
空気を吐出するポンプ吐出ポートと、空気を吸入するポンプ吸入ポートとを有するエアポンプと；
前記ポンプ吐出ポートと前記ポンプ吸入ポートとの中のいずれか一つを前記エアケーブルに選択的に接続するモード切替弁と；を含むことを特徴とする請求項１０に記載の歯科技工用ワックスディスペンサーシステム。
【請求項１２】
前記モード切替弁は、
前記エアケーブルに接続されるケーブル接続ポートと；
前記ポンプ吐出ポートに接続される吐出接続ポートと；
前記ポンプ吸入ポートに接続される吸入接続ポートと；
前記空気圧提供部が前記加圧モードで動作するように前記ケーブル接続ポートと前記吐出接続ポートとを接続する第１切替位置と、前記空気圧提供部が前記減圧モードで動作するように前記ケーブル接続ポートと前記吸入接続ポートとを接続する第２切替位置の中のいずれか一つで動作する弁切替部と；を含むことを特徴とする請求項１１に記載の歯科技工用ワックスディスペンサーシステム。
【請求項１３】
前記モード切替弁はそれぞれ独立して外部に開放された第１ダミーポート及び第２ダミーポートをさらに含み；
前記弁切替部は、前記第１切替位置で動作する時に前記吸入接続ポートを前記第１ダミーポートに接続し、前記第２切替位置で動作する時に前記吐出接続ポートを前記第２ダミーポートに接続することを特徴とする請求項１２に記載の歯科技工用ワックスディスペンサーシステム。
【請求項１４】
前記エアポンプ部は、
前記ポンプ吐出ポートと前記吐出接続ポートとを接続するエアライン上に設けられ、前記エアポンプから吐出される空気の空気圧を調節する吐出空気圧調節部をさらに含むことを特徴とする請求項１２に記載の歯科技工用ワックスディスペンサーシステム。
【請求項１５】
前記ポンプ吸入ポートと前記吸入接続ポートとを接続するエアライン上に設けられ、前記エアポンプに吸入される空気の空気圧を調節する吸入空気圧調節部をさらに含むことを特徴とする請求項１４に記載の歯科技工用ワックスディスペンサーシステム。
【請求項１６】
前記吐出空気圧調節部及び前記吸入空気圧調節部の中の少なくともいずれか一つは、前記エアポンプから吐出される空気圧または前記エアポンプに吸入される空気圧を仮に貯留して既に設定された空気圧で吐出または吸入する空圧シリンダの形態で備わることを特徴とする請求項１４に記載の歯科技工用ワックスディスペンサーシステム。
【請求項１７】
前記歯科技工用ワックスディスペンサーの前記ヒータ部の発熱のための電源を供給する電源供給部と、
前記電源供給部と前記ヒータ部とを接続する電源ケーブルと、をさらに含み；
前記電源ケーブルは前記エアケーブルの内部に沿って延出され、前記ヒータ部と接続されることを特徴とする請求項１０に記載の歯科技工用ワックスディスペンサーシステム。
【請求項１８】
前記エアポンプ部が内部に設けられる本体部をさらに含み；
前記本体部は前記エアポンプ部に接続されるエア接続ポートと、前記電源供給部に接続される電源接続ポートと、を含み；
前記エアケーブルの他側に設けられ、前記エアケーブルと連通され前記エア接続ポートに接続可能な形態のエア接続ジャックと、前記エアケーブルの内部に配置された前記電源ケーブルと電気的に接続され前記電源接続ポートに接続可能な形態の電源接続ジャックとを有する接続モジュールをさらに含むことを特徴とする請求項１７に記載の歯科技工用ワックスディスペンサーシステム。
【請求項１９】
透明な素材からなり、内部空間に液状のワックスを貯留する中空管形状のワックス貯留部と；
前記ワックス貯留部の前端側に配置され、前記ワックス貯留部に貯留されたワックスを吐出する中空管形状のノズル部と；
前記ワックス貯留部の前記内部空間に配置され、一端が前記ノズル部の中空に挿入されるワイヤ状の発熱体により、前記ワックス貯留部に貯留されたワックスと前記ノズル部を通して吐出されるワックスとを液状に維持するヒータ部と；
前記ワックス貯留部の後端側で前記ワックス貯留部の前記内部空間に空気圧をかけて、前記ワックス貯留部に貯留されたワックスを前記ノズル部を通して吐出させたり、または液状のワックスを前記ノズル部を通して前記ワックス貯留部に吸入するシリンダ部と；を含む歯科技工用ワックスディスペンサー。
【請求項２０】
前記シリンダ部は、
前記ワックス貯留部の後端に接続されるシリンダ管と；
前記シリンダ管の内部で直線運動を行うことにより、前記ワックス貯留部の前記内部空間に空気圧をかけるピストン部と；
モータの回転力により前記ピストン部を直線運動させるモータ駆動部と；を含むことを特徴とする請求項１９に記載の歯科技工用ワックスディスペンサー。
【請求項２１】
前記ピストン部は、
前記モータ駆動部のモータの回転方向に沿って前進または後進するピストンロッドと；
前記ピストンロッドに結合され、前記ピストンロッドの前進または後進に応じて空気圧を発生させるピストンヘッドと；
前記ピストンヘッドに設けられ、前記ワックス貯留部の前記内部空間にかけられる空気圧が所定の閾値に該当する場合、前記モータ駆動部を停止させるダイヤフラム部と；を含むことを特徴とする請求項２０に記載の歯科技工用ワックスディスペンサー。
【請求項２２】
前記シリンダ部は、前記モータ駆動部のモータの回転方向を決定する第１サイドボタンをさらに含むことを特徴とする請求項２１に記載の歯科技工用ワックスディスペンサー。
【請求項２３】
前記シリンダ部は、前記ピストン部の直線運動による空気圧を微細孔を通して前記ワックス貯留部の前記内部空間に伝達し、ワックスの逆流を防止する逆流防止キャップをさらに含むことを特徴とする請求項２２に記載の歯科技工用ワックスディスペンサー。
【請求項２４】
前記ワックスディスペンサーは、前記ワックス貯留部と前記ノズル部との間にワックス移動通路を形成し、前記ワックス移動通路を開閉することにより、前記ノズル部のワックスの吐出量を調節する吐出量調節部をさらに含むことを特徴とする請求項２０に記載の歯科技工用ワックスディスペンサー。
【請求項２５】
前記吐出量調節部は、
前記ワックス移動通路の少なくとも一部の区間を形成する弾性材料の中空管として、一部の内周面が前記ワックス移動通路を通過して前記ノズル部に挿入される前記発熱体の外周面に密着される弾性管と；
ユーザの押し操作に応じて前記モータ駆動部のモータに電源を供給すると同時に、前記弾性管を加圧して変形させることにより、前記弾性管の内周面を前記発熱体から離間させる第２サイドボタンと；を含むことを特徴とする請求項２４に記載の歯科技工用ワックスディスペンサー。
【請求項２６】
前記ワックスディスペンサーは、前記ワックス貯留部及び前記シリンダ部が内部に設けられ、前記ワックス貯留部に貯留されたワックスの量を確認する窓が形成されるハウジングをさらに含むことを特徴とする請求項１９に記載の歯科技工用ワックスディスペンサー。
【請求項２７】
中空の弾性チューブ（ｅｌａｓｔｉｃ  ｔｕｂｅ）として内部空間に液状のワックスを貯留するワックス貯留部と；
ユーザの押し操作に応じて前記ワックス貯留部に圧力をかける押しボタン部と；
前記ワックス貯留部の前端に結合され、前記ワックス貯留部の内部圧力が前記押しボタン部による圧力により所定の閾値よりも増加する場合、前記ワックス貯留部に貯留されたワックスを吐出するノズル部と；
前記ワックス貯留部の前記内部空間に配置される熱伝導体と前記ノズル部に熱を伝達し、前記ワックス貯留部に貯留されたワックス及び前記ノズル部を通して吐出されるワックスを液状に維持するヒータ部と；を含む歯科技工用ワックスディスペンサー。
【請求項２８】
前記ノズル部は、
前記ワックス貯留部の内部圧力が前記閾値よりも低い場合に前記ワックス貯留部に貯留されたワックスを遮断し、前記ワックス貯留部の内部圧力が前記閾値よりも高くなる場合に前記ワックス貯留部に貯留されたワックスを通過させるノズル弁と；
前記ノズル弁を通過したワックスを吐出するノズル管と；を含むことを特徴とする請求項２７に記載の歯科技工用ワックスディスペンサー。
【請求項２９】
前記ノズル弁は、
球状のワックス遮断ボールと；
前記ワックス遮断ボールを内部に収容し、一端に前記ワックス貯留部に貯留されたワックスが流入する流入口が形成され、他端に前記ノズル管にワックスを流出させる流出口が形成されるバルブ管と；
前記バルブ管の内部で前記ワックス遮断ボールを前記流入口に圧着して前記流入口を閉塞させる弾性部材と；を含むことを特徴とする請求項２８に記載の歯科技工用ワックスディスペンサー。
【請求項３０】
前記ワックスディスペンサーは、前記ワックス貯留部の弾性力により前記ワックス貯留部の内部に負圧（ｎｅｇａｔｉｖｅ  ｐｒｅｓｓｕｒｅ）が発生する場合、ユーザの押し操作に応じて前記ワックス遮断ボールを前記流入口から離間させることにより、液状のワックスを前記ノズル部を通して前記ワックス貯留部に吸入させる充填ボタン部をさらに含むことを特徴とする請求項２９に記載の歯科技工用ワックスディスペンサー。
【請求項３１】
前記充填ボタン部は、
前記ワックス貯留部の前記内部空間で前進または後進するように設けられて、前進時に前記ワックス遮断ボールを支持し前記ワックス遮断ボールを前記流入口から離間させるボール支持用ロッドと；
ユーザの押し操作に応じて前記ボール支持用ロッドを前進させる押しボタンと；を含むことを特徴とする請求項３０に記載の歯科技工用ワックスディスペンサー。
【請求項３２】
前記ボール支持用ロッドは、前記ワックス貯留部の後端に形成された挿入孔に挿入されて、前端部が前記ワックス貯留部の前記内部空間に配置され、後端部が前記ワックス貯留部の外部に配置され、
前記押しボタンは、前記ボール支持用ロッドの前記後端部に結合され、ユーザの押し操作に応じて前記ボール支持用ロッドを前進させることを特徴とする請求項３１に記載の歯科技工用ワックスディスペンサー。
【請求項３３】
前記押しボタン部は、
前記ワックス貯留部の外周面に接触して、ユーザの押し操作に応じる圧力を前記ワックス貯留部に伝達するサイドボタンと；
絶縁性弾性素材にて形成され、前記サイドボタンを支持し前記サイドボタンを前記ワックス貯留部の外部面に接触させるサイドボタンケースと；を含むことを特徴とする請求項２７に記載の歯科技工用ワックスディスペンサー。
【発明の詳細な説明】
【技術分野】
【０００１】
本発明は、歯科技工用ワックスディスペンサー及びこれを用いた歯科技工用ワックスディスペンサーシステムに関するもので、より詳しくは、内部にワックスを充填して使用してワックスの吐出量を精密に調整することにより、ユーザの利便性と作業効率を改善する歯科技工用ワックスディスペンサー及びこれを用いた歯科技工用ワックスディスペンサーシステムに関する。
【背景技術】
【０００２】
ワックスディスペンサー（Ｗａｘ  ｄｉｓｐｅｎｓｅｒ）とは、一般的に歯科治療用義歯製作時に使用される歯科技工用器具として、歯の形の石膏模型にワックスをコーティングする器具を意味する。
【０００３】
最近、歯の医療技術と義歯材料技術の発展により、歯科治療や美容のために義歯を使用している人口が急激に増加している傾向にある。このような傾向に応じて、歯科技工士などの義歯を製造するワックスディスペンサーのユーザは、実際の作業を遂行する際に使い勝手の良く、作業速度や品質などの作業効率を改善することができることはもちろん、作業の安全性を確保することができる歯科技工用ワックスディスペンサーへの関心とその普及への要求が急速に増加しているのが実情である。
【０００４】
しかし、ワックスディスペンサーに関する既存の技術は、一般的にアルコールランプを使用して、所定形状の彫刻刀を加熱した後、加熱された彫刻刀のチップでワックスを溶融させて石膏模型にオーバーレイ方式を使用するため、作業速度が遅く、使用が不便な問題がある。
【０００５】
なお、日本公開特許公報第１９９９−２５３４６０号等に開示されているように、従来の技術は棒状の固形ワックスをワックスディスペンサーの後端側に挿入し、内蔵ヒータにて溶融させて使用するので、実際の作業を遂行する際、溶融されたワックスがワックスディスペンサーの角度に応じてワックスディスペンサーの後端側に漏れ出したり、固体ワックスが切断されるなど安全の危険性が常に存在する問題がある。また、細かな動作を必要とするワックス工程でガン（ｇｕｎ）タイプの器具は、その構造上ユーザの動作を制限して、作業の質を低下させる問題がある。
【０００６】
さらに、従来の技術は、ワックスディスペンサーの内部ワックス貯留部はもちろん、ワックスが吐出されるノズルまでのワックスの温度を適正に維持する技術と、ノズルから吐出されるワックスの量を精密に制御することができる技術を全く提示できないという問題がある。
【発明の開示】
【発明が解決しようとする課題】
【０００７】
本発明は、前記のような問題点を解消するために案出されたもので、ペンの形のワックスディスペンサーにワックスを充填して使用して、空気圧に応じてワックスが吐出され、吐出されるワックスが精密に調整されることにより、ユーザの利便性と作業効率を改善しようとすることを目的とする。
【０００８】
また、本発明は、スポイトを利用する方式のようにワックスディスペンサーにワックスを充填させることにより、ユーザの利便性と作業の効率性を高めようとすることを他の目的とする。
【０００９】
また、本発明は、ノズルを通して吐出されるワックスが適正な温度に加熱されることにより、実際の作業時にワックスの固化によるノズルの閉塞や過度な加熱によるワックスの変形を防止しようとすることを他の目的とする。
【００１０】
また、本発明は、ワックスディスペンサーの姿勢とは無関係に充填されたワックスの漏れが発生しないことにより、作業の安全性を確保することはもちろん、ユーザの利便性をさらに改善しようとすることを他の目的とする。
【課題を解決するための手段】
【００１１】
前記目的は、本発明により、内部空間に液状のワックスが収容される中空管形状のワックス貯留部と；前記ワックス貯留部の前端に配置され、前記ワックス貯留部と連通されるノズル部と；前記ワックス貯留部に貯留されたワックスが液状を維持するように加熱するヒータ部と；外部からの流入される空気により前記ワックス貯留部の内部空間を加圧する加圧モードと、外部への空気の流出によって前記ワックス貯留部の内部空間を減圧する減圧モードで動作する空気圧提供部と；前記ワックス貯留部と前記ノズル部を連通するワックス移動通路と、前記加圧モードで前記ワックス貯留部に貯留されたワックスが前記ノズル部を通して外部に吐出され、減圧モードで外部のワックスが前記ノズル部を通して前記ワックス貯留部に流入するように前記ワックス移動通路を開閉する通路開閉部を有するディスペンサー動作部と；を含むことを特徴とする歯科技工用ワックスディスペンサーによって達成される。
【００１２】
ここで、前記空気圧提供部は、外部からの空気が流入したり、外部に空気が排出される外部連結管と；前記ワックス貯留部と後端に配置され、前記ワックス貯留部と連通する内部連結管と；前記外部連結管と前記内部連結管を連通させる空気連結通路と；を含むことができる。
【００１３】
また、前記内部連結管の後端が外部と開放されたり外部から閉鎖されるよう、前記内部連結管の後端を開閉する後端キャップユニットをさらに含み；前記空気連結通路は前記後端キャップユニットの内部に形成され、前記後端キャップユニットが前記内部連結管を閉鎖するとき、前記外部連結管と前記内部連結管を連通することができる。
【００１４】
そして、前記空気圧提供部は前記外部連結管と前記空気連結通路との間の連通を断続する空気圧断続弁をさらに含むことができる。
【００１５】
また、前記空気圧断続弁は前記空気連結通路と連通する第１連通孔と、前記外部連結管と連通する第２連通孔を有するバルブ管と、前記バルブ管の内部に収容される開閉ボールと、前記開閉ボールを前記第１連通孔を閉鎖する方向に加圧する弾性部材と、を含み；前記開閉ボールは前記後端キャップユニットが前記内部連結管の後端を開放した状態で前記弾性部材の弾性力により前記第１連通孔を閉鎖し、前記後端キャップユニットが前記内部連結管の後端を閉鎖した状態で前記内部連結管によって、前記弾性部材の弾性力の反対方向に加圧されて、前記第１連通孔の少なくとも一部の領域を開放して前記第１連通孔と前記空気連結通路を連通することができる。
【００１６】
そして、前記ヒータ部は前記ワックス貯留部の内部空間と前記ワックス移動通路に沿って配置される発熱部材と；前記発熱部材が発熱するように前記発熱部材に電源を供給する発熱スリーブと；を含むことができる。
【００１７】
ここで、前記発熱部材は前記ノズル部の内部まで延出されることができる。
【００１８】
また、前記発熱部材の前記ワックス貯留部の内部空間に位置する区間はコイルばね形状を有することができる。
【００１９】
そして、前記通路開閉部は前記ワックス移動通路の少なくとも一部の区間を形成し、内周面の少なくとも一領域に前記ワックス移動通路を通過する前記発熱部材の外周面と接触して、前記ワックス移動通路を閉鎖する弾性接触部が形成された弾性管と；前記弾性接触部が前記発熱部材から離間され、前記ワックス移動通路が開放されるよう、外部からの操作に応じて前記弾性管を加圧し変形させるサイドボタンと；を含むことができる。
【００２０】
一方、前記目的は、本発明の他の実施の形態に従って、前記歯科技工用ワックスディスペンサーと；一側が前記歯科技工用ワックスディスペンサーの前記空気圧提供部と接続されるエアケーブルと；前記エアケーブルの他側に接続され、前記空気圧提供部が前記加圧モードまたは前記減圧モードで動作するように、前記空気圧提供部に空気を吐出したり、前記空気圧提供部から空気を吸入するエアポンプ部を含むことができる。
【００２１】
そして、前記エアポンプ部は空気を吐出するポンプ吐出ポートと、空気を吸入するポンプ吸入ポートと、を有するエアポンプと；前記ポンプ吐出ポートと前記ポンプ吸入ポートの中のいずれか一つを前記エアケーブルに選択的に接続するモード切替弁と；を含むことができる。
【００２２】
そして、前記モード切替弁は前記エアケーブルに接続されるケーブル接続ポートと；前記ポンプ吐出ポートに接続される吐出接続ポートと；前記ポンプ吸入ポートに接続される吸入接続ポートと；前記空気圧提供部が前記加圧モードで動作するように前記ケーブル接続ポートと前記吐出接続ポートを接続する第１切替位置と、前記空気圧提供部が前記減圧モードで動作するように前記ケーブル接続ポートと前記吸入接続ポートを接続する第２切替位置の中のいずれか一つで動作する弁切替部と；を含むことができる。
【００２３】
また、前記モード切替弁はそれぞれ独立して外部に開放された第１ダミーポート及び第２ダミーポートをさらに含み；前記弁切替部は前記第１切替位置で動作する時前記吸入接続ポートを前記第１ダミーポートに接続し、前記第２切替位置で動作する時前記吐出接続ポートを前記第２ダミーポートに接続することができる。
【００２４】
そして、前記エアポンプ部は前記ポンプ吐出ポートと前記吐出接続ポートを接続するエアライン上に設けられ、前記エアポンプから吐出される空気の空気圧を調節する吐出空気圧調節部をさらに含むことができる。
【００２５】
そして、前記ポンプ吸入ポートと前記吸入接続ポートを接続するエアライン上に設けられ、前記エアポンプに吸入される空気の空気圧を調節する吸入空気圧調節部をさらに含むことができる。
【００２６】
また、前記吐出空気圧調節部と前記吸入空気圧調節部の中の少なくともいずれか一つは、前記エアポンプから吐出される空気圧または前記エアポンプに吸入される空気圧を仮に貯留して既に設定された空気圧で吐出または吸入する空圧シリンダの形態で備わることができる。
【００２７】
前記歯科技工用ワックスディスペンサーの前記ヒータ部の発熱のための電源を供給する電源供給部と、前記電源供給部と前記ヒータ部を接続する電源ケーブルと、をさらに含み；前記電源ケーブルは前記エアケーブルの内部に沿って延出され、前記ヒータ部と接続することができる。
【００２８】
ここで、前記エアポンプ部の内部に設けられる本体部をさらに含み；前記本体部は前記エアポンプ部と接続されるエア接続ポートと、前記電源供給部に接続される電源接続ポートと、を含み；前記エアケーブルの他側に設けられ、前記エアケーブルと連通され前記エア接続ポートに接続可能な形態のエア接続ジャックと、前記エアケーブルの内部に配置された前記電源ケーブルと電気的に接続され、前記電源接続ポートに接続可能な形態の電源接続ジャックを有する接続モジュールをさらに含むことができる。
【００２９】
本発明の第２実施の形態に従う歯科技工用ワックスディスペンサーは透明な素材からなり、内部空間に液状のワックスを貯留する中空管形状のワックス貯留部と；ワックス貯留部の前端側に配置されてワックス貯留部に貯留されたワックスを吐出する中空管形状のノズル部と；ワックス貯留部の内部空間に配置され、一端がノズル部の中空に挿入されるワイヤ状の発熱体によってワックス貯留部に貯留されたワックスと、ノズル部を通して吐出されるワックスを液状で維持させるヒータ部と；ワックス貯留部の後端側からワックス貯留部の内部空間に空気圧をかけてワックス貯留部に貯留されたワックスをノズル部を通して吐出させたり、または液状のワックスをノズル部を通してワックス貯留部に吸入するシリンダ部と；を含むことが望ましい。
【００３０】
本発明の第２実施の形態において、シリンダ部はワックス貯留部の後端に接続されるシリンダ管と；シリンダ管の内部で直線運動を行うことにより、ワックス貯留部の内部空間に空気圧をかけるピストン部と；モータの回転力によりピストン部を直線運動させるモータ駆動部と；を含むことが望ましい。
【００３１】
本発明の第２実施の形態において、ピストン部はモータ駆動部のモータの回転方向に沿って前進または後進するピストンロッドと；ピストンロッドに結合され、ピストンロッドの前進または後進に応じて空気圧を発生させるピストンヘッドと；ピストンヘッドに設けられてワックス貯留部の内部空間にかけられる空気圧が所定の閾値に該当する場合、モータ駆動部を停止させるダイヤフラム部と；を含むことが望ましい。
【００３２】
本発明の第２実施の形態において、シリンダ部は、モータ駆動部のモータの回転方向を決定する第１サイドボタンをさらに含むことが望ましい。
【００３３】
本発明の第２実施の形態において、シリンダ部はピストン部の直線運動による空気圧を微細孔を通してワックス貯留部の内部空間に伝達し、ワックスの逆流を防止する逆流防止キャップをさらに含むことが望ましい。
【００３４】
本発明の第２実施の形態に従うワックスディスペンサーは、ワックス貯留部とノズル部との間にワックス移動通路を形成し、ワックス移動通路を開閉することにより、ノズル部のワックスの吐出量を調節する吐出量調節部をさらに含むことが望ましい。
【００３５】
本発明の第２実施の形態に従う吐出量調節部は、ワックス移動通路の少なくとも一部の区間を形成する弾性材料の中空管として、一部の内周面がワックス移動通路を通過してノズル部に挿入される発熱体の外周面に密着される弾性管と；ユーザの押し操作に応じてモータ駆動部のモータに電源を供給すると同時に、弾性管を加圧して変形させることにより、弾性管の内周面を発熱体から離間させる第２サイドボタンと；を含むことが望ましい。
【００３６】
本発明の第２実施の形態に従うワックスディスペンサーは、ワックス貯留部及びシリンダ部が内部に設けられて、ワックス貯留部に貯留されたワックスの量を確認する窓が形成されるハウジングをさらに含むことが望ましい。
【００３７】
本発明の第３実施の形態に従う歯科技工用ワックスディスペンサーは、中空の弾性チューブ（ｅｌａｓｔｉｃ  ｔｕｂｅ）として内部空間に液状のワックスを貯留するワックス貯留部と；ユーザの押し（ｐｕｓｈ）操作に応じて前記ワックス貯留部に圧力をかける押しボタン部と；前記ワックス貯留部の前端に結合され、前記ワックス貯留部の内部の圧力が前記押しボタン部による圧力により所定の閾値よりも増加する場合、前記ワックス貯留部に貯留されたワックスを吐出するノズル部と；前記ワックス貯留部の前記内部空間に配置される熱伝導体と前記ノズル部に熱を伝達し、前記ワックス貯留部に貯留されたワックス及び前記ノズル部を通して吐出されるワックスを液状で維持させるヒータ部を含むことが望ましい。
【００３８】
本発明の第３実施の形態において、前記ノズル部は前記ワックス貯留部の内部圧力が前記閾値よりも低い場合前記ワックス貯留部に貯留されたワックスを遮断し、前記ワックス貯留部の内部圧力が前記閾値よりも高くなる場合前記ワックス貯留部に貯留されたワックスを通過させるノズル弁と；前記ノズル弁を通過したワックスを吐出するノズル管と；を含むことが望ましい。
【００３９】
本発明の第３実施の形態において、前記ノズル弁は、球状のワックス遮断ボールと；前記ワックス遮断ボールを内部に収容し、一端に前記ワックス貯留部に貯留されたワックスが流入する流入口が形成され、他端に前記ノズル管にワックスを流出させる流出口が形成されるバルブ管と；前記バルブ管の内部で前記ワックス遮断ボールを前記流入口に圧着して前記流入口を閉塞させる弾性部材と；を含むことが望ましい。
【００４０】
本発明の第３実施の形態において、前記ワックスディスペンサーは前記ワックス貯留部の弾性力により前記ワックス貯留部の内部に負圧（ｎｅｇａｔｉｖｅ  ｐｒｅｓｓｕｒｅ）が発生する場合、ユーザの押し操作に応じて前記ワックス遮断ボールを前記流入口から離間させることにより、液状のワックスを前記ノズル部を通して前記ワックス貯留部に吸入させる充填ボタン部をさらに含むことが望ましい。
【００４１】
本発明の第３実施の形態に従う前記充填ボタン部は、前記ワックス貯留部の前記内部空間で前進または後進するように設けられて、前進時前記ワックス遮断ボールを支持し前記ワックス遮断ボールを前記流入口から離間させるボール支持用ロードと；ユーザの押し操作に応じて前記ボール支持用ロッドを前進させる押しボタンを含むことが望ましい。
【００４２】
本発明の第３実施の形態において、前記ボール支持用ロッドは前記ワックス貯留部の後端に形成された挿入孔に挿入されて、前端部が前記ワックス貯留部の前記内部空間に配置され、後端部が前記ワックス貯留部の外部に配置され、前記押しボタンは、前記ボール支持用ロッドの前記後端部に結合されユーザの押し操作に応じて前記ボール支持用ロッドを前進させることが望ましい。
【００４３】
本発明の第３実施の形態に従う前記押しボタン部は、前記ワックス貯留部の外周面に接触して、ユーザの押し操作に応じる圧力を前記ワックス貯留部に伝達するサイドボタンと；絶縁性弾性材料にて形成され、前記サイドボタンを支持し前記サイドボタンを前記ワックス貯留部の外部面に接触させるサイドボタンケースを含むことが望ましい。
【発明の効果】
【００４４】
本発明によれば、ヒータを内蔵したペンタイプのワックスディスペンサーにワックスを充填して使用し、エアポンプ部から吐出される空気の空気圧に応じてワックスが吐出され、吐出されるワックスがディスペンサー動作部の操作に応じて精密に調節されることにより、ユーザの利便性と作業効率を改善することができる。
【００４５】
また、エアポンプ部の吸入動作に応じてワックスディスペンサーにワックスが充填されることにより、充填されたワックスがすべて消費される時、ワックスディスペンサーのノズル部をワックスタンクに浸した状態でスポイトの原理のようにワックスを吸入して充填可能になってユーザの利便性と作業効率を改善することができる。
【００４６】
また、ワイヤ状の発熱体をノズルに挿入して、ノズルを通して吐出されるワックスが適正な温度に加熱されることにより、実際の作業を遂行する際のワックスの固化によるノズルの閉塞や過度な加熱によるワックスの変形を防止することができる。
【００４７】
また、ワックスディスペンサーの姿勢とは無関係に充填されたワックスの漏れが発生しないことにより、作業の安全性を確保することはもちろん、ユーザの利便性をさらに改善することができる。
【図面の簡単な説明】
【００４８】
【図１】本発明の第１実施の形態に従う歯科技工用ワックスディスペンサーシステムの構成を示す図面である。
【図２】図１のＩＩ−ＩＩ線に沿う本発明の第１実施の形態に従う歯科技工用ワックスディスペンサーの断面を示す図面である。
【図３】図２の歯科技工用ワックスディスペンサーの空気圧提供部の領域を拡大した図面である。
【図４】図２の歯科技工用ワックスディスペンサーの空気圧提供部の領域を拡大した図面である。
【図５】図２の歯科技工用ワックスディスペンサーの開閉モジュールのディスペンサー動作部の領域を拡大した図面である。
【図６】本発明の第１実施の形態に従う歯科技工用ワックスディスペンサーシステムのエアポンプ部の一例を示す図面である。
【図７】本発明の第１実施の形態に従う歯科技工用ワックスディスペンサーシステムのエアポンプ部の一例を示す図面である。
【図８】本発明の第１実施の形態に従う歯科技工用ワックスディスペンサーシステムのエアポンプ部の他の例を示す図面である。
【図９】本発明の第１実施の形態に従う歯科技工用ワックスディスペンサーシステムのエアポンプ部の他の例を示す図面である。
【図１０】本発明の第１実施の形態に従う歯科技工用ワックスディスペンサーシステムの接続モジュールの断面を示す図面である。
【図１１】本発明の第２実施の形態に従う歯科技工用ワックスディスペンサーシステムが適用されるワックスディスペンサーシステムの環境を示す図面である。
【図１２】本発明の第２実施の形態に従う歯科技工用ワックスディスペンサーシステムを示す断面図を概略的に示したものである。
【図１３】本発明の第２実施の形態に従うシリンダ部の動作状態を示す部分断面図である。
【図１４】本発明の第２実施の形態に従うシリンダ部の動作状態を示す部分断面図である。
【図１５】本発明の第２実施の形態に従う吐出量調節部の一例を示す部分断面図を概略的に示したものである。
【図１６】本発明の第３実施の形態に従う歯科技工用ワックスディスペンサーが適用されるワックスディスペンサーシステムの環境を示す図面を概略的に示したものである。
【図１７】本発明の第３実施の形態に従う歯科技工用ワックスディスペンサーを示す断面図を概略的に示したものである。
【図１８】本発明の第３実施の形態に従う押しボタン部を示す部分斜視図を概略的に示したものである。
【図１９】本発明の第３実施の形態に従うノズル部を示す部分断面図を概略的に示したものである。
【発明を実施するための最良の形態】
【００４９】
本発明は、内部空間に液状のワックスが収容される中空管形状のワックス貯留部と；前記ワックス貯留部の前端に配置され、前記ワックス貯留部と連通するノズル部と；前記ワックス貯留部に貯留されたワックスが液状で維持するように加熱するヒータ部と；外部からの流入される空気により前記ワックス貯留部の内部空間を加圧する加圧モードと、外部への空気の流出によって前記ワックス貯留部の内部空間を減圧する減圧モードで動作する空気圧提供部と；前記ワックス貯留部と前記ノズル部を連通するワックス移動通路と、前記加圧モードで前記ワックス貯留部に貯留されたワックスが前記ノズル部を通して外部に吐出され、減圧モードでは外部のワックスが前記ノズル部を通して前記ワックス貯留部に流入されるように前記ワックス移動通路を開閉する通路開閉部を有するディスペンサー動作部と；を含むことが望ましい。
【００５０】
以下、本発明の技術的課題に関する解決策を明確化するために、添付の図面を参照して本発明の好適な実施の形態を詳細に説明する。ただし、本発明を説明するに当たり、関連公知技術に関する説明がむしろ本発明の要旨を不明瞭にしている場合、それについての説明は省略することにする。また、後述する用語は、本発明における機能を考慮して定義された用語として、設計者、製造業者等の意図や慣例などにより変わることがあるだろう。したがって、その定義は本明細書の全般にわたる内容に基づいて下される。
【００５１】
第１実施の形態
図１は、本発明の第１実施の形態に従う歯科技工用ワックスディスペンサーシステムの構成を示す図面である。図１に示すように、歯科技工用ワックスディスペンサーシステムは、歯科技工用ワックスディスペンサー１００（以下、「ワックスディスペンサー１００」という）、エアケーブル１５及びエアポンプ部１１６を含む。ここで、エアポンプ部１１６は本体部１０の内部に設けられる。
【００５２】
本発明によるワックスディスペンサー１００は、図１に示すように、ペンタイプの外観を有し、その内部に詳細構成要素を収容する。このように、本発明によるワックスディスペンサー１００は、ペンタイプで具現することにより、義歯成形作業の遂行時にユーザが容易に握れて、操作を容易にすることができる。そして、ワックスディスペンサー１００は本体部１０とエアケーブル１５を通して接続されて、本体部１０に設けられたエアポンプ部１１６の動作に応じて、内部の空気圧が上昇しワックスを吐出したり、内部の空気圧が下降してワックスを吸入、すなわち充填するが、これに対する詳細な説明は後述する。
【００５３】
以下において、図２乃至図５を参照して本発明の第１実施の形態によるワックスディスペンサー１００の構成について詳細に説明する。
【００５４】
本発明によるワックスディスペンサー１００は、図２に示すように、ワックス貯留部１２０、ノズル部１３０、ヒータ部１４０、空気圧提供部１５０及びディスペンサー動作部１６０を含む。ここで、ワックス貯留部１２０、ノズル部１３０、ヒータ部１４０、空気圧提供部１５０及びディスペンサー動作部１６０などのようなワックスディスペンサー１００の詳細構成要素は、ペンタイプの外観を形成するハウジング１１０の内部に設けられる。
【００５５】
ワックス貯留部１２０は内部空間１２１に液状のワックスが収容される中空管形状を有する。ここで、ワックス貯留部１２０は図２の横方向を基準にハウジング１１０の中央部にハウジング１１０の長手方向に沿って形成される。ワックス貯留部１２０の前端（図２の左側方向）にはノズル部１３０が位置し、ワックス貯留部１２０の後端には空気圧提供部１５０が位置する。
【００５６】
ヒータ部１４０は、ワックス貯留部１２０に貯留されたワックスが液状を維持するように、ワックス貯留部１２０に貯留されたワックスを加熱する。ここで、本発明によるヒータ部１４０は、図２に示すように、発熱部材１４２と、発熱スリーブ１４１を含むことを例にする。
【００５７】
発熱スリーブ１４１は、発熱部材１４２が発熱するように発熱部材１４２に電源を供給する。ここで、本発明による発熱スリーブ１４１は、後述する電源ケーブル１５ｂを通して本体部１０の電源供給部（図示せず）を通して電源が供給されて、これに対する詳細な説明は後述する。
【００５８】
発熱部材１４２は、ワックス貯留部１２０の内部空間１２１と、ディスペンサー動作部１６０に形成された後述するワックス移動通路１６１に沿って配置される。本発明による発熱部材１４２のうち、ワックス貯留部１２０の内部空間１２１に位置する区間は、図２に示すように、コイルばね形状を有することを例にして、これにより発熱部材１４２の発熱面積が広くなることにより、ワックスの効果的な加熱が可能になる。
【００５９】
また、発熱部材１４２は、図２の拡大領域に示すように、ノズル部１３０の内部１３１まで延出されることを一例としてある。これにより、ワックス貯留部１２０に貯留された液状のワックスがディスペンサー動作部１６０のワックス移動通路１６１に沿って移動しながらワックス移動通路１６１に沿って延出された発熱部材１４２によって加熱され、ノズル部１３０に移動しノズル部１３０から吐出される時までノズル部１３０の内部に延出された発熱部材１４２によって加熱されることにより、露出部に吐出する前に液状のワックスが固体状に凝固する現象を防ぐことができる。
【００６０】
また、本発明によるワックスディスペンサー１００を使用していない状態、すなわちヒータ部１４０の電源が遮断された状態で一定時間が経過してノズル部１３０の内部に残っていたワックスが凝固されてもヒータ部１４０の動作に応じて、ノズル部１３０の内部に位置する発熱部材１４２によってノズル部１３０側の固体状のワックスも液状に転換され、別の処置なしで使用可能になる。
【００６１】
空気圧提供部１５０は、上述したように、ワックス貯留部１２０の後端に位置する。そして、空気圧提供部１５０は、ワックス貯留部１２０の内部空間１２１を加圧する加圧モードと、ワックス貯留部１２０の内部空間１２１を減圧する減圧モードの中のいずれか一つで動作する。
【００６２】
より具体的に説明すると、空気圧提供部１５０は、エアポンプ部１１６からエアケーブル１５を通して流入される空気、すなわち圧縮空気によってワックス貯留部１２０の内部空間１２１を加圧して、エアケーブル１５を通してエアポンプ部に流出される空気によってワックス貯留部１２０の内部空間１２１を減圧することになる。
【００６３】
ここで、加圧モードの場合には、圧縮空気でワックス貯留部１２０の内部空間１２１の空気圧が高くなり、ディスペンサー動作部１６０がワックス貯留部１２０とノズル部１３０とを連通させると、ワックス貯留部１２０に貯留されたワックスがノズル部１３０を通して外部に吐出される。逆に、減圧モードの場合、空気圧提供部１５０を通して空気が流出してワックス貯留部１２０の内部空間１２１の空気圧が低下し、ディスペンサー動作部１６０がワックス貯留部１２０とノズル部１３０を連通させると、ノズル部１３０を通して外部のワックスがワックス貯留部１２０に流入することができるようになる。
【００６４】
図３及び図４は、本発明によるワックスディスペンサー１００の空気圧提供部１５０の領域を拡大した図面である。図３及び図４を参照して説明すると、本発明による空気圧提供部１５０は、外部連結管１５１と、内部連結管１５２及び空気連結通路１５３を含むことができる。
【００６５】
外部連結管１５１は、エアケーブル１５と接続されてワックスディスペンサー１００の外部、すなわちエアケーブル１５から空気が流入したり、エアケーブル１５に空気が排出される。そして、内部連結管１５２はワックス貯留部１２０の後端に配置されてワックス貯留部１２０と連通する。
【００６６】
ここで、空気連結通路１５３は、外部連結管１５１と内部連結管１５２とを連通することにより、エアケーブル１５、外部連結管１５１、空気連結通路１５３、内部連結管１５２及びワックス貯留部１２０との間で空気が流動可能にする。
【００６７】
ここで、本発明によるワックスディスペンサー１００は、図３及び図４に示すように、内部連結管１５２の後端が外部と開放したり外部から閉鎖されるよう、内部連結管１５２の後端を開閉する後端キャップユニット１５４を含むことができる。図３は、後端キャップユニット１５４が内部連結管１５２の後端を閉鎖した状態を示す図面であり、図４は後端キャップユニット１５４が内部連結管１５２の後端を開放した状態を示す図面である。
【００６８】
ここで、本発明による空気連結通路１５３は、後端キャップユニット１５４の内部に形成されることを例にして、図３に示すように、後端キャップユニット１５４が内部連結管１５２の後端を閉鎖するときに、外部連結管１５１と内部連結管１５２を連通させる状態になる。
【００６９】
本発明では、後端キャップユニット１５４がハウジング１１０の後端にヒンジ結合して回動によって内部連結管１５２の後端を開放及び閉鎖することを例にする。このとき、後端キャップユニット１５４は内部連結管１５２の後端を閉鎖した状態でフック固定部材１５５によって固定されることができる。
【００７０】
一方、本発明による空気圧提供部１５０は、外部連結管１５１と後端キャップユニット１５４に形成された空気連結通路１５３との間の連通を断続する空気圧断続弁１５６を含むことができる。ここで、本発明では、空気圧断続弁１５６が、図３及び図４に示すように、バルブ管１５６ａ、開閉ボール１５６ｄ及び弾性部材１５６ｅを含むことを例にする。
【００７１】
バルブ管１５６ａは、外部連結管１５１と後端キャップユニット１５４との間に設けられ、外部連結管１５１と後端キャップユニット１５４に形成された空気連結通路１５３を連通する。ここで、バルブ管１５６ａには、空気連結通路１５３と連通される第１連通孔１５６ｃと、外部連結管１５１と連通する第２連通孔１５６ｂが形成される。
【００７２】
開閉ボール１５６ｄはボール状であり、バルブ管１５６ａの内部に収容される。そして、弾性部材１５６ｅは、開閉ボール１５６ｄを第１連通孔１５６ｃを閉鎖する方向に加圧することになる。このとき、開閉ボール１５６ｄは、後端キャップユニット１５４が、図４に示すように、内部連結管１５２の後端を開放した状態で、弾性部材１５６ｅの弾性力により第１連通孔１５６ｃを閉鎖する。これにより、外部連結管１５１を通してエアポンプ部１１６からの圧縮空気が吐出される状態で、後端キャップユニット１５４が開放されても、第１連通孔１５６ｃを通して圧縮空気が外部に吐出されなくて、圧縮空気の吐出に伴う騒音を防止することができる。
【００７３】
一方、図３に示すように、後端キャップユニット１５４の内部連結管１５２の後端を閉鎖した状態では、開閉ボール１５６ｄが後端キャップユニット１５４によって弾性部材１５６ｅの弾性力の反対方向に加圧されて、第１連通孔１５６ｃの少なくとも一部の領域を開放する。これにより、第１連通孔１５６ｃと空気連結通路１５３が連通して圧縮空気が内部連結管１５２側に伝達されたり、内部連結管１５２を通して空気が吸入可能になる。
【００７４】
以下において、図５を参照して本発明によるディスペンサー動作部１６０について詳細に説明する。
【００７５】
本発明によるディスペンサー動作部１６０は、ワックス貯留部１２０とノズル部１３０を連通させるワックス移動通路１６１を含む。そして、ディスペンサー動作部１６０は、加圧モードでワックス貯留部１２０に貯留されたワックスがノズル部１３０を通して外部に吐出され、減圧モードでは外部のワックスがノズル部１３０を通してワックス貯留部１２０に流入するようにワックス移動通路１６１を開閉する通路開閉部１６２を含む。
【００７６】
これにより、加圧モードで通路開閉部１６２の動作に応じて、ワックス移動通路１６１を開放すると、ワックス移動通路１６１を通してワックス貯留部１２０のワックスがノズル部１３０に露出されることにより、ワックス作業の進行が可能になる。一方、減圧モードで通路開閉部１６２の動作に応じてワックス移動通路１６１を開放し、ノズル部１３０を後述するワックスタンク１２に貯留されたワックスに挿入すると、ノズル部１３０を通してワックスタンク１２のワックスがワックス貯留部１２０で充填されることができる。
【００７７】
ここで、本発明による通路開閉部１６２は、図５に示すように、弾性管１６３とサイドボタン１６４を含むことができる。
【００７８】
弾性管１６３はワックス移動通路１６１の少なくとも一部の区間を形成する。そして、弾性管１６３は内周面の少なくとも一領域にワックス移動通路１６１を通過する発熱部材１４２の外周面と接触してワックス移動通路１６１を閉鎖する弾性接触部１６３ａが形成される。ここで、本発明による弾性管１６３はサイドボタン１６４の操作に応じて、弾性的な変形が可能な材料、例えば、シリコン素材からなることを例にする。
【００７９】
そして、サイドボタン１６４は弾性接触部１６３ａが発熱部材１４２から離間してワックス移動通路１６１が開放されるよう、外部からの操作に応じて弾性管１６３を加圧変形させる。本発明では、サイドボタン１６４が弾性管１６３の外周面に沿って接触され、一側が、図１に示すように、ハウジング１１０の外部に露出するように設けられることを例にする。
【００８０】
前記の構成に応じて、ユーザがハウジング１１０の外部に露出されたサイドボタン１６４を押し（Ｐｕｓｈ）操作すると、サイドボタン１６４が弾性管１６３を加圧変形させて、弾性接触部１６３ａが発熱部材１４２から離間されることにより、ワックス移動通路１６１が開放されることができる。
【００８１】
ここで、本発明では、図５の拡大領域に示すように、弾性管１６３とサイドボタン１６４を貫通する貫通孔１６５が形成され、当該貫通孔１６５に伝達部材が挿入されることにより、サイドボタン１６４の押し操作が弾性管１６３に伝達するように備わることを例にしている。
【００８２】
以下において、図６乃至図９を参照して本発明によるエアポンプ部１１６について詳細に説明する。上述したように、本発明によるエアポンプ部１１６は本体部１０の内部に設けられてエアケーブル１５を通してワックスディスペンサー１００の空気圧提供部１５０と接続される。
【００８３】
ここで、エアポンプ部１１６は、空気圧提供部１５０が加圧モードまたは減圧モードで動作するように、エアケーブル１５を通して空気圧提供部１５０に空気を吐出したり、空気圧提供部１５０から空気を吸入する。つまり、エアポンプ部１１６の圧縮空気吐出に応じて空気圧提供部１５０が加圧モードで動作するようになり、エアポンプ部１１６の吸気に応じて空気圧提供部１５０が減圧モードで動作する。
【００８４】
図６及び図７は、本発明によるエアポンプ部１１６の構成の一例を示す図面であり、図６は、空気圧提供部１５０が減圧モードで動作するときの空気の流れを示す図面であり、図７は空気圧提供部１５０が加圧モードで動作するときの空気の流れを示す図面である。
【００８５】
図６及び図７を参照して説明すると、本発明によるエアポンプ部１１６はエアポンプ１１６ａ及びモード切替弁２０を含むことができる。また、エアポンプ部１１６は吐出空気圧調節部３０及び吸入空気圧調節部４０を含むことができる。
【００８６】
エアポンプ１１６ａは実質的に空気を吐出して圧縮空気を形成したり、エアポンプ１１６ａで空気を吸入するポンプとしての機能を遂行する。ここで、エアポンプ１１６ａは、空気を吐出するポンプ吐出ポート１１６ｂと、空気を吸入するポンプ吸入ポート１１６ｃを含むことを例にする。
【００８７】
モード切替弁２０は、エアポンプ１１６ａのポンプ吐出ポート１１６ｂとポンプ吸入ポート１１６ｃの中のいずれか一つをエアケーブル１５に選択的に接続させる。すなわち、モード切替弁２０がエアポンプ１１６ａのポンプ吐出ポート１１６ｂをエアケーブル１５に接続させる場合、空気圧提供部１５０が加圧モードで動作する。一方、モード切替弁２０がエアポンプ１１６ａのポンプ流入ポートをエアケーブル１５に接続させる場合、空気圧提供部１５０が減圧モードで動作する。
【００８８】
ここで、本発明によるモード切替弁２０は、図６及び図７に示すように、ケーブル接続ポート２１、吐出の接続、吸入接続ポート２３及び弁切替部２４を含むことができる。また、モード切替弁２０は第１ダミーポート２７及び第２ダミーポート２６を含むことができる。すなわち、本発明では、モード切替弁２０が五つのポートの切替弁の形態で備わることを例にしている。
【００８９】
ケーブル接続ポート２１はエアケーブル１５と接続され、吐出接続ポート２２はポンプ吐出ポート１１６ｂと接続され、吸入接続ポート２３はポンプ吸入ポート１１６ｃと接続される。そして、第１ダミーポート２７及び第２ダミーポート２６はそれぞれ独立して外部に開放される。
【００９０】
ここで、弁切替部２４は、ケーブルの接続ポート２１と吐出接続ポート２２を接続する第１切替位置と、ケーブル接続ポート２１と吸入接続ポート２３を接続する第２切替位置の中のいずれか一つで動作する。このとき、第１切替位置で動作しケーブル接続ポート２１と吐出接続ポート２２が接続されると、空気圧提供部１５０が加圧モードで動作するようになり、第２切替位置で動作しケーブル接続ポート２１と吸入接続ポート２３が接続されると、空気圧提供部１５０が減圧モードで動作するようになる。本発明による弁切替部２４の操作は、操作レバー２５の手動操作に応じて操作されることを例にしており、電子駆動方式のバルブ、例えばソレノイドバルブが適用されることは勿論である。
【００９１】
そして、弁切替部２４は、第１切替位置で動作するとき、吸入接続ポート２３を第１ダミーポート２７に接続させ、加圧モードで動作するときにエアポンプ１１６ａのポンプ吸入ポート１１６ｃを通じた吸入力が第１ダミーポート２７に伝達され、第１ダミーポート２７から外部の空気が流入するようにする。
【００９２】
一方、弁切替部２４は第２切替位置で動作するとき、吐出接続ポート２２を第２ダミーポート２６に接続させ、減圧モードで動作するときにエアポンプ１１６ａのポンプ吐出ポート１１６ｂを通して吐出される空気を第２ダミーポート２６を通して外部に吐出させる。
【００９３】
一方、吐出空気圧調節部３０はポンプ吐出ポート１１６ｂと吐出接続ポート２２を接続するエアライン上に設けられ、エアポンプ１１６ａのポンプ吐出ポート１１６ｂから吐出される空気の空気圧を調節する。そして、吸入空気圧調節部４０はポンプ吸入ポート１１６ｃと吸入接続ポート２３を接続するエアライン上に設けられ、エアポンプ１１６ａに吸入される空気の空気圧を調節する。
【００９４】
本発明では、吐出空気圧調節部３０及び吸入空気圧調節部４０がエアポンプ１１６ａから吐出される空気圧またはエアポンプ１１６ａに吸入される空気圧を仮に貯留して既に設定された空気圧で吐出または吸入する空圧シリンダの形態で備わることを例にする。
【００９５】
図６及び図７を参照して説明すると、吐出空気圧調節部３０は第１シリンダ３１、第１ピストン３２及び第１弾性部材３３を含むことができる。
【００９６】
第１シリンダ３１は、第１ピストン３２がその内部で往復移動可能にする収容空間を形成する。第１ピストン３２は第１シリンダ３１の内部で往復移動可能に設けられるが、第１ピストン３２によって第１シリンダ３１の内部空間が第１空間３４と第２空間３５で区画される。
【００９７】
ここで、吐出空気圧調節部３０の第１弾性部材３３は第１シリンダ３１の第２空間３５に収容され、第１ピストン３２に第１空間３４の方向に弾性力を提供する。そして、第１シリンダ３１の第１空間３４はポンプ吐出ポート１１６ｂと吐出接続ポート２２との間の空気の通路を形成する。
【００９８】
前記の構成に応じて、吐出接続ポート２２への空気の流れが遮断された状態（例えば、上述したサイドボタン１６４の操作がない状態）で、エアポンプ１１６ａが動作すると、エアポンプ１１６ａのポンプ吐出ポート１１６ｂを通して吐出される空気が第１シリンダ３１の第１空間３４に流入しながら空気圧が高くなり、第１ピストン３２を第２空間３５の方向に移動させる。
【００９９】
第１ピストン３２の第２空間３５の方向に移動した状態で吐出接続ポート２２への空気の流れが開放されてエアポンプ１１６ａの動作が停止すると、第１弾性部材３３が第１ピストン３２を再び第１空間３４の方向に移動させて、第１ピストン３２の移動に応じる空気圧によって空気が吐出接続ポート２２の方向に流れる。
【０１００】
前記のような構成に応じて、第１シリンダ３１のサイズと、第１弾性部材３３の弾性力の調節に応じて、本発明によるエアポンプ部１１６から吐出される空気の吐出量とその空気圧の調節が可能になる。
【０１０１】
ここで、吐出空気圧調節部３０は第１ピストン３２の位置を検出する第１位置検出センサ３７ａ、３７ｂを含むことができる。これにより、第１ピストン３２が第１弾性部材３３の方向に一定の範囲で移動すると、これを第１位置検出センサ３７ａ、３７ｂが検出してエアポンプ１１６ａの動作を停止させることができる。また、第１ピストン３２が第１弾性部材３３の弾性力によって反対方向に一定の範囲で移動すると、これを第１位置検出センサ３７ａ、３７ｂが検出してエアポンプ１１６ａが再動作することができる。本発明では、第１位置検出センサ３７ａ、３７ｂが磁気センサタイプに設けられ、第１ピストン３２の上死点と下死点を検出するように第１ピストン３２の移動方向に沿って一対で備わることを例にする。
【０１０２】
同様に、吸入空気圧調節部４０は第２シリンダ４１、第２ピストン４２及び第２弾性部材４３を含むことができる。
【０１０３】
第２シリンダ４１は第２ピストン４２がその内部で往復移動可能にする収容空間を形成する。第２ピストン４２は第２シリンダ４１の内部で往復移動可能に設けられるが、第２ピストン４２により第２シリンダ４１の内部空間が第３空間４４と第４空間４５で区画される。
【０１０４】
ここで、吸入空気圧調節部４０の第２弾性部材４３は第２シリンダ４１の第３空間４４に収容され、第２ピストン４２に第４空間４５の方向に弾性力を提供する。そして、第２シリンダ４１の第３空間４４はポンプ吸入ポート１１６ｃと吸入接続ポート２３との間の空気の通路を形成する。
【０１０５】
前記の構成に応じて、吸入接続ポート２３からの空気の流れが遮断された状態（例えば、上述したサイドボタン１６４の操作がない状態）で、エアポンプ１１６ａが動作すると、エアポンプ１１６ａのポンプ吸入ポート１１６ｃを通して空気が吸入され、第２シリンダ４１の第３空間４４の空気圧が低下し第２ピストン４２が第３空間４４の方向に移動させる。
【０１０６】
第２ピストン４２が第３空間４４の方向に移動した状態で吸入接続ポート２３からの空気の流れが開放されてエアポンプ１１６ａの動作が停止すると、第２弾性部材４３が第２ピストン４２を再び第４空間４５に移動させて第２ピストン４２の移動に従う空気圧によって吸入接続ポート２３から空気が吸入される。
【０１０７】
前記のような構成に応じて、第２シリンダ４１のサイズと第２弾性部材４３の弾性力の調節に応じて、本発明によるエアポンプ部１１６に流入される空気の流入量とその空気圧の調節が可能になる。
【０１０８】
ここで、吸入空気圧調節部４０は第２ピストン４２の位置を検出する第２位置検出センサ４７ａ、４７ｂを含むことができる。これにより、第２ピストン４２が第３空間４４の方向に一定の範囲で移動すると、これを第２位置検出センサ４７ａ、４７ｂが検出してエアポンプ１１６ａの動作を停止させることができる。また、第２ピストン４２が第２弾性部材４３の弾性力によって反対方向に一定範囲で移動すると、これを第２位置検出センサ４７ａ、４７ｂが検出してエアポンプ１１６ａが再動作することができる。本発明では、第２位置検出センサ４７ａ、４７ｂが磁気センサタイプで設けられ、第２ピストン４２の上死点と下死点を検出するように第２ピストン４２の移動方向に沿って一対で備わることを例にする。
【０１０９】
一方、図６及び図７の未説明の参照番号３６ａ、３６ｂ、４６ａ、４６ｂは、それぞれ吐出空気圧調節部３０及び吸入空気圧調節部４０に形成された入出力ポートである。
【０１１０】
図８及び図９は本発明によるエアポンプ部１１７の構成の他の例を示す図面であり、図８は空気圧提供部１５０が減圧モードで動作するときの空気の流れを示す図面であり、図９は空気圧提供部１５０が加圧モードで動作するときの空気の流れを示す図面である。図８及び図９に示された実施の形態は、図６及び図７に示された実施の形態の変形例として、以下において二つの実施の形態の差別化される構成を中心に説明する。
【０１１１】
まず、エアポンプ１１７ａのポンプ吐出ポート１１７ｂとモード切替弁５０の吐出接続ポート５２が直接接続され、エアポンプ１１７ａのポンプ吸入ポート１１７ｃとモード切替弁５０の吸入接続ポート５３が直接接続される。そして、統合空気圧調節部６０がモード切替弁５０のケーブル接続ポート５１とエアケーブル１５を接続するエアライン上に設けられる。ここで、モード切替弁５０には一対のダミーポート５６、５７が備わる。
【０１１２】
そして、統合空気圧調節部６０はエアポンプ１１７ａから吐出される空気の空気圧を調節するとともに、エアポンプ１１７ａに吸入される空気の空気圧を一緒に調節するように備わる。
【０１１３】
図８及び図９を参照して説明すると、統合空気圧調節部６０は統合シリンダ６１、統合ピストン６２、吐出用弾性部材６３ｂ、吸入用弾性部材６３ａを含むことができる。そして、統合シリンダ６１は統合ピストン６２によって第５空間６４と第６空間６５に区画され、吐出用弾性部材６３ｂが第６空間６５に収容されて統合ピストン６２に第５空間６４の方向に弾性力を提供し、吸入用弾性部材６３ａが第５空間６４に収容されて統合ピストン６２に第６空間６５の方向に弾性力を提供する。
【０１１４】
前記のような構成に応じて、統合空気圧調節部６０にエアポンプ１１７ａからの空気が流入すると、吐出用弾性部材６３ｂと統合ピストン６２の相互作用によって統合空気圧調節部６０が上述した吐出空気圧調節部３０の機能を遂行する。一方、統合空気圧調節部６０にエアポンプ１１７ａからの吸入力が発生すると、吸入用弾性部材６３ａと統合ピストン６２の相互作用によって統合空気圧調節部６０が上述した吸入空気圧調節部４０の機能を遂行する。
【０１１５】
ここで、図８及び図９の未説明の参照番号６６ａ、６６ｂは統合空気圧調節部６０に形成された入出力ポートであり、未説明の参照番号６７ａ、６７ｂ、６８ａ、６８ｂはそれぞれ統合ピストン６２で吐出空気圧調節部３０の第１位置検出センサ３７ａ、３３７ｂと流入空気圧調節部４０の第２位置検出センサ４７ａ、４７ｂの機能を遂行する位置検出センサである。
【０１１６】
一方、本発明によるヒータ部１４０は上述したように、本体部１０に収容された電源供給部（図示せず）からの発熱部材１４２の放熱のための電源が供給されて、電源供給部（図示せず）とヒータ部１４０は電源ケーブル１５ｂによって電気的に接続される。ここで、本発明による電源ケーブル１５ｂは、図１０に示すように、エアケーブル１５の内部に沿って延出されてヒータ部１４０と接続されることを例にする。そして、エアケーブル１５の内表面と電源ケーブル１５ｂとの間の空間１５ａを通して空気が流動することになる。
【０１１７】
また、本発明による本体部１０の外観を形成する本体ケース１０には、図１０に示すように、エアポンプ部１１６と接続されるエア接続ポート１１ａと、電源供給部と接続される電源接続ポート１１ｂを含むことができる。
【０１１８】
そして、エアケーブル１５の縁にはエア接続ポート１１ａと、電源接続ポート１１ｂに接続するための接続モジュール９０が設けられる。ここで、接続モジュール９０は、図１０に示すように、エアケーブル１５の内部に配置された電源ケーブル１５ｂと電気的に接続され、電源接続ポート１１ｂに接続可能な形態の電源接続ジャック９２と、エアケーブル１５と連通してエア接続ポート１１ａと接続可能な形態のエア接続ジャック９１を含む。
【０１１９】
これにより、ユーザは、図１及び図１０に示すように、エアケーブル１５に設けられた接続モジュール９０を本体部１０に接続させる方法だけでワックスディスペンサー１００と本体部１０を電気的に接続するだけでなく、エアラインも同時に接続することができる。
【０１２０】
一方、本体部１０には、図１に示すように、制御部１３と、上述したワックスタンク１２が備わることができる。制御部１３は、ユーザの設定に応じてヒータ部１４０の温度や、モード切替弁２０等を制御することができる。
【０１２１】
第２実施の形態
図１１は本発明による歯科技工用ワックスディスペンサーシステムが適用されるワックスディスペンサーシステムの環境が示されている。
【０１２２】
図１１に示すように、歯科技工用ワックスディスペンサーシステムは、本発明によるワックスディスペンサー２００と、これに使用される本体部１０を含むことができる。
【０１２３】
まず、前記ワックスディスペンサー２００はペン（ｐｅｎ）タイプのハウジング２０２の内に詳細構成要素を含む。前記ハウジング２０２の内部には、ワックスを充填して貯留する所定の貯留部とヒータが設けられる。前記ハウジング２０２の外部にはワックス充填量を観察することができる窓２０４と、ノズル部２０６を通して吐出されるワックスの吐出量を調節するサイドボタン２０８が設けられる。また、以下において再び説明するが、前記ハウジング２０２の外部には前記ワックスディスペンサー２００の内部に設けられたモータの回転方向を設定する他のサイドボタン２０９を設けることができる。このように、前記ワックスディスペンサー２００をペンタイプで具現することにより、義歯成形作業の遂行時にユーザの把持及び操作を容易にすることができる。
【０１２４】
一方、前記本体部１０はワックスタンク１２及び制御部１３を含むことができる。前記ワックスタンク１２は固状のワックスを収容した後、内蔵されたヒータにてワックスを加熱して液状で作る。ワックスが液状で溶融されると、ユーザは前記ワックスディスペンサー２００の前記サイドボタン２０９を操作して、前記ワックスディスペンサー２００の内に設けられたモータの回転方向を逆方向に設定し、前記サイドボタン２０８を押し（ｐｕｓｈ）操作してモータを回転させる。そして、前記ワックスタンク１２に収容された液状のワックスを吸入することにより、前記ワックスディスペンサー２００にワックスを充填することができる。前記制御部１３はユーザの設定に応じて前記ワックスタンク１２の温度を制御することができ、電源供給ケーブル２０１を通して前記ワックスディスペンサー２００に電源を供給することができる。また、前記制御部１３は前記ワックスディスペンサー２００に内蔵されたヒータの温度を制御することができる。
【０１２５】
図１２には本発明の一実施の形態に従う歯科技工用ワックスディスペンサーシステムが断面図に示されている。
【０１２６】
図１２に示すように、前記ワックスディスペンサー２００はワックス貯留部２００ａ、ノズル部２０６、ヒータ部２１０及びシリンダ部２２０を含むことができる。
【０１２７】
前記ワックス貯留部２００ａは透明な素材からなる中空管形状に形成され、その内部空間に液状のワックスを貯留する。例えば、前記ワックス貯留部２００ａはガラスにて形成されることができる。このように、前記ワックス貯留部２００ａを透明な材質にて形成することにより、ユーザは前記ハウジング２０２に形成された窓２０４を通してワックスの充填量を確認できる。また、一実施の形態において、前記窓２０４または前記ワックス貯留部２００ａはワックス充填量を定量的に把握できるようにする目盛りが刻まれることができる。
【０１２８】
前記ノズル部２０６は微細な中空管の形状を有し、前記ワックス貯留部２００ａの前端側に配置され、前記ワックス貯留部２００ａに貯留されたワックスを吐出する。一実施の形態において、前記ノズル部２０６を着脱可能に構成することにより、ユーザに遂行する作業に応じて適切な大きさと内径を有するノズルで交換するようにすることができる。
【０１２９】
前記ヒータ部２１０は、前記ワックス貯留部２００ａの内部空間に配置され、一端が前記ノズル部２０６の中空に挿入されるワイヤ状の発熱体により前記ワックス貯留部２００ａに貯留されたワックスはもちろん、前記ノズル部２０６を通して吐出されるワックスを液状で維持させる。このように、前記ヒータ部２１０の発熱体を前記ワックス貯留部２００ａに配置するだけでなく、前記ノズル部２０６の中空に挿入されるように構成することにより、実際の作業を遂行する際、ノズルの吐出口の近くで発生するワックスの固化を防止することができ、特にワックスの変形が発生しない適切な加熱だけでも前記ワックス貯留部２００ａはもちろん、前記ノズル部２０６まで一定の温度を保つことができる。
【０１３０】
前記シリンダ部２２０は、前記ワックス貯留部２００ａの後端側で前記ワックス貯留部２００ａの内部空間に空気圧をかけて、前記ワックス貯留部２００ａに貯留されたワックスを前記ノズル部２０６を通して吐出させたり、または液状のワックスを前記ノズル部２０６を通して前記ワックス貯留部２００ａに吸入する。このため、前記シリンダ部２２０はシリンダ管２２２、ピストン部２２４、２２６及びモータ駆動部２２８を含むことができる。前記シリンダ管２２２は前記ワックス貯留部２００ａの後端に接続される。前記ピストン部２２４、２２６は前記シリンダ管２２２の内部で直線運動を行うことにより、前記ワックス貯留部２００ａの内部空間に空気圧をかける。前記モータ駆動部２２８はモータの回転力により前記ピストン部２２４、２２６を直線運動させる。この場合、前記モータ駆動部２２８はねじが形成されたスクリュー（ｓｃｒｅｗ）を回転させて、前記ピストン部２２４、２２６は前記スクリューとねじ結合を形成するホール（ｈｏｌｅ）を含んで前記スクリューの回転方向に応じて前記ピストン部２２４、２２６が前進または後進するように構成することができる。例えば、前記ピストン部２２４、２２６はピストンヘッド２２４及びピストンロッド２２６を含むことができる。前記ピストンロッド２２６は前記スクリューとねじ結合を形成するホールが形成され、前記モータ駆動部２２８のモータの回転方向に沿って前進または後進する。前記ピストンヘッド２２４は前記ピストンロッド２２６に結合され、前記ピストンロッド２２６の前進または後進に応じて空気圧を発生させる。
【０１３１】
図１３及び図１４には前記シリンダ部２２０の動作状態が部分断面図で示されている。
【０１３２】
図１３及び図１４に示すように、前記シリンダ部２２０はダイヤフラム部２５０をさらに含むことができる。前記ダイヤフラム部２５０は前記ピストンヘッド２２４に設けられ、前記ワックス貯留部２００ａの内部空間にかけられる空気圧が所定の閾値に該当する場合、前記モータ駆動部２２８を停止させる。そのため、前記ダイヤフラム部２５０は、金属または非金属の弾性薄膜として空気圧を変位に変換するダイヤフラム２５２と、前記ダイヤフラム２５２の位置の変化に応じて前記モータ駆動部２２８の動作を停止させる停止スイッチ２５４、２５６を含むことができる。まず、図１３に示すように、前記モータ駆動部２２８の動作により前記ピストン部２２４、２２６が前進すると、前記ワックス貯留部２００ａ及び前記シリンダ管２２２の内部圧力が増加する。その結果、図１４に示すように、前記ダイヤフラム２５２が前記ピストンヘッド２２４の内部に押し出され、前記停止スイッチ２５４、２５６が短絡されることにより、前記モータ駆動部２２８に供給された電源が遮断される。このように構成することにより、非常に高いワックスディスペンサー２００の内部の空気圧によってワックスの吐出量が必要以上に増加することを防止することができるようになり、ワックスの吐出量の精密な制御が可能になる。
【０１３３】
一方、前記シリンダ部２２０は逆流防止キャップ２５７をさらに含むことができる。前記逆流防止キャップ２５７は前記ピストン部２２４、２２６の直線運動による空気圧を微細孔を通して前記ワックス貯留部２００ａの内部空間に伝達すると同時に、前記ワックス貯留部２００ａに貯留されたワックスの逆流を防止することができる。このように構成することにより、ワックスディスペンサー２００の姿勢とは無関係に充填されたワックスの漏れを防止することができる。
【０１３４】
一方、前記ワックスディスペンサー２００は吐出量調節部２３０をさらに含むことができる。前記吐出量調節部２３０は前記ワックス貯留部２００ａと前記ノズル部２０６との間にワックス移動通路２７８を形成し、前記ワックス移動通路２７２を開閉することにより前記ノズル部２０６のワックス吐出量を調節する。
【０１３５】
図１５には前記吐出量調節部２３０の一例が部分断面図で示されている。
【０１３６】
図１５に示すように、前記吐出量調節部２３０は弾性管２７０及びサイドボタン２０８を含むことができる。前記弾性管２７０は、弾性材料の中空管として前記ワックス移動通路２７８の少なくとも一部の区間を形成し、一部の内周面２７２が前記ワックス移動通路２７８を通過して前記ノズル部２０６に挿入される前記発熱体２１０の外周面に密着するように構成される。前記サイドボタン２０８は前記弾性管２７０の外周面に結合され、ユーザの押し操作に応じて前記モータ駆動部２２８に電源を供給すると同時に、前記弾性管２７０を加圧して変形させることにより、前記弾性管２７０の前記内周面２７２を前記発熱体２１０から離間させるように構成される。そのため、前記サイドボタン２０８は中空部２８０が形成された弾性材料で構成されることができ、前記弾性管２７０のラジアル方向の上部に配置することができる。また、前記サイドボタン２０８の前記中空部２８０には前記サイドボタン２０８に押し圧力がかけられる場合短絡されて、前記モータ駆動部２２８に電源を供給する動作スイッチ２８２が設けられることができる。前記弾性管２７０の内部には前記弾性管２７０を支持する金属のリング２７４と前記弾性管２７０を通して移動するワックスの漏れを防止するシーリング（ｓｅａｌｉｎｇ）用リング２７６を設けることができる。このように、前記吐出量調節部２３０を構成することにより、ユーザに作業中の指を使った簡単な押し動作によりワックスディスペンサー２００のワックス吐出量をより精密に調節できる。
【０１３７】
上述したように、本発明によれば、ヒータを内蔵したペンタイプのワックスディスペンサーにワックスを充填して使用してシリンダによる空気圧をダイヤフラムを通して制御してワックスの吐出量を精密に調節することにより、ユーザの利便性と作業効率を改善することができる。また、ワイヤ状の発熱体をノズルに挿入して、ノズルを通して吐出されるワックスが適正な温度に加熱されるようにすることにより、実際の作業を遂行する際のワックスの固化によるノズルの閉塞や過度な加熱によるワックスの変形を防止することができる。また、ワックスディスペンサーの姿勢とは無関係に充填されたワックスの漏れが発生しないように構成することにより、作業の安全性を確保することはもちろん、ユーザの利便性をさらに改善することができる。さらに、本発明による様々な実施の形態は、当該技術分野はもちろん、関連技術分野で本明細書に記載された内容以外の他の技術的課題を解決できることは勿論である。
【０１３８】
第３実施の形態
図１６には本発明の第３実施の形態に従う歯科技工用ワックスディスペンサーが適用されるワックスディスペンサーシステムの環境が示されている。
【０１３９】
図１６に示すように、ワックスディスペンサーシステムは、本発明による歯科技工用ワックスディスペンサー３００と、これに使用される本体部１０を含むことができる。
【０１４０】
まず、前記ワックスディスペンサー３００はペンタイプのハウジング３０２の内に詳細構成要素を含む。前記ハウジング３０２の内部にはワックスを充填して貯留する所定の貯留部とヒータが設けられる。前記ハウジング３０２の外部にはノズル部３０６を通して吐出されるワックスの吐出量を調整する押しボタン部３０４が設けられる。
【０１４１】
また、前記ハウジング３０２の後端部には、液状のワックスを前記ノズル部３０６を通して前記ワックスディスペンサー３００の内部貯留部に吸入させる充填ボタン部３０８が設けられることができる。以下において再び説明するが、前記充填ボタン部３０８はワックスを貯留する所定の弾性チューブの弾性力により前記弾性チューブの内部に発生する負圧（ｎｅｇａｔｉｖｅ  ｐｒｅｓｓｕｒｅ）を利用して液状のワックスを前記弾性チューブの内部に吸入させる。このように、前記ワックスディスペンサー３００をペンタイプで具現することにより、義歯成形作業の遂行時にユーザの把持と操作を容易にすることができる。
【０１４２】
一方、前記本体部１０は、ワックスタンク１２及び制御部１３を含むことができる。前記ワックスタンク１２は固体状のワックスを収容した後、内蔵されたヒータにてワックスを加熱して液状で作る。ワックスが液状で溶融されると、ユーザは前記ワックスディスペンサー３００の前記押しボタン部３０４を押し操作することにより、前記ワックスディスペンサー３００の内部の弾性チューブを収縮させた後、前記ワックスタンク１２に収容された液状のワックスに前記ノズル部３０６を浸し、前記充填ボタン部３０８を押し操作することにより、液状のワックスを前記弾性チューブの内部に吸入することができる。前記制御部１３はユーザの設定に応じて前記ワックスタンク１２の温度を制御することができ、電源供給ケーブル３０１を通して前記ワックスディスペンサー３００に電源を供給することができる。また、前記制御部１３は前記ワックスディスペンサー３００に内蔵されたヒータの温度を制御するよう構成することができる。
【０１４３】
図１７には本発明の第３実施の形態に従う歯科技工用ワックスディスペンサーが断面図で示されている。
【０１４４】
図１７に示すように、前記ワックスディスペンサー３００はワックス貯留部３００ａ、押しボタン部３０４、ノズル部３０６及びヒータ部３３０を含むことができ、充填ボタン部３０８をさらに含むことができる。
【０１４５】
前記ワックス貯留部３００ａは、中空の弾性チューブ（ｅｌａｓｔｉｃ  ｔｕｂｅ）として内部空間に液状のワックスを貯留する。例えば、前記ワックス貯留部３００ａは弾性力のある耐火性のゴムや、さまざまな合成樹脂などの材質にて形成されることができる。このように、前記ワックス貯留部３００ａは弾性チューブを使用して構成されることにより、外部圧力によってその形が変形した場合でも、外部圧力が除去されると弾性力乃至復元力によって再び元の状態に復元される。
【０１４６】
前記押しボタン部３０４はユーザの押し操作に応じて前記ワックス貯留部３００ａに圧力をかける。
【０１４７】
図１８には前記押しボタン部３０４が部分斜視図で示されている。
【０１４８】
図１８に示すように、前記押しボタン部３０４はサイドボタン３１０及びサイドボタンケース３１２を含むことができる。
【０１４９】
前記サイドボタン３１０は、前記ワックス貯留部３００ａの外周面に接触して、ユーザの押し操作に応じる圧力を前記ワックス貯留部３００ａに伝達する。前記サイドボタンケース３１２は、前記サイドボタン３１０を支持し、前記サイドボタン３１０を前記ワックス貯留部３００ａの外部面に接触させる。そのため、前記サイドボタンケース３１２は耐火性ゴム等の絶縁性弾性材料にて形成されて、ユーザの押し操作によって変形及び復元が可能なだけでなく、前記ワックスディスペンサー３００の内部で発生する熱を遮断することができる。このように、前記押しボタン部３０４を構成することにより、ユーザに作業中の指を使った簡単な押し動作により、ワックスディスペンサー３００のワックス吐出量を精密に調節できる。
【０１５０】
一方、前記ノズル部３０６は、前記ワックス貯留部３００ａの前端に結合され、前記ワックス貯留部３００ａの内部圧力が前記押しボタン部３０４を通して伝達される外部圧力により所定の閾値より増加する場合、前記ワックス貯留部３００ａに貯留されたワックスを吐出する。
【０１５１】
図１９には前記ノズル部３０６が部分断面図で詳細に示されている。
【０１５２】
図１９に示すように、前記ノズル部３０６はノズル弁３２０及びノズル管３２２を含むことができる。
【０１５３】
前記ノズル弁３２０は、前記ワックス貯留部３００ａの内部圧力が所定の閾値よりも低い場合前記ワックス貯留部３００ａに貯留されたワックスを遮断し、前記ワックス貯留部３００ａの内部圧力が前記閾値より高くなる場合前記ワックス貯留部３００ａに貯留されたワックスを通過させる。このため、前記ノズル弁３２０はワックス遮断ボール３５０、バルブ管３５１及び弾性部材３５２を含むことができる。すなわち、前記ワックス遮断ボール３５０は球状に形成され、前記バルブ管３５１は前記ワックス遮断ボール３５０を内部に収容する。前記バルブ管３５１の一端には前記ワックス貯留部３００ａに貯留されたワックスが流入する流入口３５４が形成されていて、前記バルブ管３５１の他端には前記ノズル管３２２にワックスを流出させる流出口３５５が形成されている。前記弾性部材３５２は、例えば、ばねなどで構成されることができ、前記バルブ管３５１の内部で前記ワックス遮断ボール３５０を前記流入口３５４に圧着して前記流入口３５４を閉塞する。この場合、前記バルブ管３５１の内径は、前記ワックス遮断ボール３５０の移動が可能なように、前記ワックス遮断ボール３５０の直径よりも大きく形成される。一方、前記流入口３５４が前記ワックス遮断ボール３５０によって閉塞されるようにするために、前記流入口３５４の内径を前記ワックス遮断ボール３５０の直径よりも小さく形成したり、前記流入口３５４に前記のワックス遮断ボール３５０の直径よりも小さい内径を有するブッシング（ｂｕｓｈｉｎｇ）３５７を設けることができる。この場合、前記流入口３５４または前記ブッシング３５７は前記ワックス遮断ボール３５０の密着を容易にするようにテーパー（ｔａｐｅｒｉｎｇ）処理することができる。前記ノズル管３２２は微細な中空管の形状を有し、前記ワックス貯留部３００ａに貯留されたワックスが前記ノズル弁３２０を通過すると、前記ノズル管３２２を通して外部に吐出される。
【０１５４】
一方、前記ヒータ部３３０は、前記ワックス貯留部３００ａの内部空間に配置される熱伝導体３３２と前記ノズル部３０６に熱を伝達し、前記ワックス貯留部３００ａに貯留されたワックス及び前記ノズル部３０６を通して吐出されるワックスを液状で維持させる。この場合、前記ノズル部３０６は熱伝導性材料にて形成され、前記ヒータ部３３０と接触するように設けられることができる。また、前記ワックスディスペンサー３００は絶縁性材料にて形成されるノズルガイド管３２４をさらに含むことができる。前記ノズルガイド管３２４は前記ワックスディスペンサー３００のハウジング３０２で前記ノズル部３０６を支持するように設けられ、前記ヒータ部３３０で前記ノズル部３０６に伝達された熱が外部に失われないように防止する。このように、前記ヒータ部３３０は、前記熱伝導体３３２を通して前記ワックス貯留部３００ａの内部でワックスを直接加熱するとともに、前記ノズル部３０６に熱を伝達することにより、実際の作業の遂行時にノズルの吐出口の近くで発生するワックスの固化を防止することができ、特にワックスの変形が発生しない適切な加熱だけでも前記ワックス貯留部３００ａはもちろん、前記ノズル部３０６まで一定の温度を保つことができるようになる。
【０１５５】
また、前述したように、前記ワックスディスペンサー３００は充填ボタン部３０８をさらに含むことができる。
【０１５６】
前記充填ボタン部３０８は、ユーザの押し操作に応じて前記ワックス遮断ボール３５０を前記流入口３５４から離間させることにより、液状のワックスを前記ノズル部３０６を通して前記ワックス貯留部３００ａに吸入させる。すなわち、ユーザが前記押しボタン部３０４を押して、前記ワックス貯留部３００ａを収縮させた場合には、前記ワックス貯留部３００ａの内部には前記ワックス貯留部３００ａの弾性力乃至復元力による負圧（ｎｅｇａｔｉｖｅ  ｐｒｅｓｓｕｒｅ）が発生する。このとき、前記充填ボタン部３０８は、ユーザの押し操作に応じて前記ワックス遮断ボール３５０を前記バルブ管３５１の内部に押し込み、外部の液状のワックスが前記ワックス貯留部３００ａに吸入されるようにするものである。
【０１５７】
このため、図１７及び図１８に示すように、前記充填ボタン部３０８はボール支持用ロッド３４０及び押しボタン３４２を含むことができる。すなわち、前記ボール支持用ロッド３４０は、前記ワックス貯留部３００ａの内部空間で前進または後進するように設けられ、前進時前記ワックス遮断ボール３５０を支持し前記ワックス遮断ボール３５０を前記流入口３５４から離間させる。この場合、前記ボール支持用ロッド３４０は前記ワックス貯留部３００ａの後端に形成された挿入孔３１３に挿入されて、前端部が前記ワックス貯留部３００ａの内部空間に配置され、後端部が前記ワックス貯留部３００ａの外部に配置されるように設けられることができる。もちろん、前記のボール支持用ロッド３４０は前記挿入孔３１３に挿入された状態で前記挿入孔３１３を密閉させるように形成され、前記ワックス貯留部３００ａの内部の空気やワックスが流出しないようにする。そして、前記押しボタン３４２は前記ボール支持用ロッド３４０の後端部に結合され、ユーザの押し操作に応じて前記ボール支持用ロッド３４０を前進させる。その結果、前記のワックス貯留部３００ａは内部の負圧によってワックスタンク１２に収容された液状のワックスを前記ノズル部３０６を通して吸入して貯留することができる。
【０１５８】
これまで、本発明について実施の形態を参考にして説明した。しかし、当業者であれば、本発明の本質的な技術的思想から逸脱しない範囲で本発明が変形された形態で具現されることを自明に理解できるだろう。したがって、開示された実施の形態は、限定的な観点ではなく、説明的な観点で考慮されなければならない。すなわち、本発明の真の技術的範囲は、添付された特許請求の範囲に示されており、それと均等の範囲内にあるすべての相違点は本発明に含まれるものと解釈されるべきである。
【産業上の利用可能性】
【０１５９】
本発明は、歯科技工用ワックスディスペンサー及びこれを用いた歯科技工用ワックスディスペンサーシステムに関するもので、歯科で患者を治療するために使用される装置として産業上の利用可能性がある。
【符号の説明】
【０１６０】
１００：ワックスディスペンサー
１１０：ハウジング
１２０：ワックス貯留部
１３０：ノズル部
１４０：ヒータ部
１４１：発熱スリーブ
１４２：発熱部材
１５０：空気圧提供部
１５１：外部連結管
１５２：内部連結管
１５３：空気連結通路
１５４：後端キャップユニット
１５５：フック固定部材
１５６：空気圧断続弁
１６０：ディスペンサー動作部
１６１：ワックス移動通路
１６２：通路開閉部
１６３：弾性管
１６３ａ：弾性接触部
１６４：サイドボタン
１６５：貫通孔
【図１】
2015509007.tif 000003
【図２】
2015509007.tif 000004
【図３】
2015509007.tif 000005
【図４】
2015509007.tif 000006
【図５】
2015509007.tif 000007
【図６】
2015509007.tif 000008
【図７】
2015509007.tif 000009
【図８】
2015509007.tif 000010
【図９】
2015509007.tif 000011
【図１０】
2015509007.tif 000012
【図１１】
2015509007.tif 000013
【図１２】
2015509007.tif 000014
【図１３】
2015509007.tif 000015
【図１４】
2015509007.tif 000016
【図１５】
2015509007.tif 000017
【図１６】
2015509007.tif 000018
【図１７】
2015509007.tif 000019
【図１８】
2015509007.tif 000020
【図１９】
2015509007.tif 000021
【国際調査報告】
2015509007.tif 000022
2015509007.tif 000023
2015509007.tif 000024
2015509007.tif 000025